(57)【要約】【課題】片手の平で小銭入れをしっかりと所持でき、かつ手が完全に開いても落下せず、さらに所持している手で小銭を落とさないように開閉することができる、より安全性と利便性のある小銭入れを提供する。【解決手段】小銭入れであって、少なくとも前面部と後面部とを有する袋状の小銭収納部と、前記小銭収納部の後面部に連設され、開口部を閉鎖する蓋部と、開口部を閉鎖して蓋部を小銭収納部の前面部に係止する係止手段と、蓋部の内面に蓋部の縁より凹んで形成された小銭受け部と、手の指を入れることができる孔として形成された指入れ部とからなる。【選択図】図１
0003160690.tif 000002
【実用新案登録請求の範囲】
【請求項１】
少なくとも前面部と後面部とを有する袋状の小銭収納部と、
前記小銭収納部の後面部に連設され、開口部を閉鎖する蓋部と、
開口部を閉鎖して蓋部を小銭収納部の前面部に係止する係止手段と、
蓋部の内面に蓋部の縁より凹んで形成された小銭受け部と、
手の指を入れることができる孔として形成された指入れ部とからなることを特徴とする小銭入れ。
【請求項２】
前記係止手段を解除して蓋部を開くために、蓋部の外面に蓋部を開閉するために指を入れることができる指掛け部が設けられていることを特徴とする請求項１記載の小銭入れ。
【考案の詳細な説明】
【技術分野】
【０００１】
本考案は、片手でしっかりと所持でき、さらに所持している手で小銭を落とさないように開閉できる小銭入れに関するものである。
【背景技術】
【０００２】
従来、小銭入れと札入れを一体化した財布が存在しているが、ジュース、飲料水、タバコを自動販売機で購入する場合など、紙幣を使わずに硬貨のみを使用する場合も数多くある。そのような場合のために、札入れ部分を有しない小銭入れが既にいくつか提供されている。
しかし、服にポケットがない場合やバッグを持っていない場合などは、小銭入れをどちらかの手で握って所持することになるが、何かの拍子に手を開いた時や握る力が弱くなった時には小銭入れを落としたり、小さいのでうっかりと置き忘れたりする危険性がある。そのために、お金が入っている小銭入れの場合、落とすことによってお金をなくしてしまうなど、特に安全性の面で問題がある。
【０００３】
そこで、小銭入れの一部分をどちらかの手の指に入れることによって、手で握る力が弱くなった場合でも小銭入れを落とす危険性を小さくしたものがいくつか提供されている。
例えば、小銭入れに取手を付けて持つ時に安定させ、また小銭の出し入れを便利にすることを目的として、長方形の袋状小銭入れの上面にファスナー等により開閉が速やかにでき、本体の底面に取手を付け使用する時に取手の中に指を挿入して握ると安定してファスナーを開閉することができ小銭の出し入れが速やかになるようにした小銭入れが提供されている（特許文献１を参照）。
また、賽銭を取り出し易く、じゃまにならない指はめ賽銭袋を提供することを目的として、袋の口の大きさは小銭が２・３枚重ねて入る広がりで、深さは４センチ以内、紐は端部が袋の口の両側に接続して、指一本入る程度の長さに設定したことを特徴とする指はめ賽銭袋が提供されている（特許文献２を参照）。
【先行技術文献】
【特許文献】
【０００４】
【特許文献１】実開平６−８２９１６号公報
【特許文献２】実用新案登録第３０８７９１５号公報
【考案の概要】
【考案が解決しようとする課題】
【０００５】
しかし、これらの考案では、小銭入れを所持している手が開いても落下する危険性を小さくすることはできるようになるものの、手の平との密着感や安定感が十分であるとは言えない。例えば、動きの激しい子供のおつかい用の小銭入れとして持たせるのには不安が残る。また、小銭入れを所持していない方の手がお弁当を入れた袋など他の持ち物で塞がっている場合に、小銭入れを所持している手でファスナーや賽銭袋の開閉をすることは難しいという問題がある。
無理に所持している手で小銭入れの出し入れ口を開閉しようとすると、小銭収納部の開口部が下方を向いて、小銭が外にこぼれ落ちる結果となる危険性がある。
そこで、本考案は、上記の問題点を解決するために、片手の平で小銭入れをしっかりと所持でき、かつ手が完全に開いても落下せず、さらに所持している手で小銭を落とさないように開閉することができる、より安全性と利便性のある小銭入れを提供することを目的としている。
【課題を解決するための手段】
【０００６】
上記の課題を解決するために、本願考案にかかる小銭入れは、少なくとも前面部と後面部とを有する袋状の小銭収納部と、前記小銭収納部の後面部に連設され、開口部を閉鎖する蓋部と、開口部を閉鎖して蓋部を小銭収納部の前面部に係止する係止手段と、蓋部の内面に蓋部の縁より凹んで形成された小銭受け部と、手の指を入れることができる孔として形成された指入れ部とからなるものである。
【０００７】
また、前記係止手段を解除して蓋部を開くために、蓋部の外面に蓋部を開閉するために指を入れることができる指掛け部が設けられている。
【考案の効果】
【０００８】
第一に、指入れ部に片方の手の指を入れて握ると、その手の平と一体化したようにしっかりと持ち運びできるだけでなく、所持している手の指で係止部を跳ね上げることによって、片手で小銭入れの開閉ができる。
第二に、蓋部の内面が小銭受け部となっているため、小銭を取り出す際に蓋部を開いて小銭収納部の開口部を下に傾けても、小銭が小銭受け部に一旦受け止められるので、小銭が外に滑り出して落下してしまうことを防ぐことができる。また、蓋部を閉めて持ち歩いている時でも小銭受け部が小銭が外へ飛び出すことを防ぐ役目を果たしている。
第三に、指掛け部を設けることで、小銭入れを手の指に入れて使用する場合に、所持する手がどちらか一方の手に限定されるのではなく左右どちらの手であっても使用することができる。
【図面の簡単な説明】
【０００９】
【図１】実施例１の場合の小銭入れの蓋部が閉じられた状態の説明図である。
【図２】実施例１の場合の小銭入れの蓋部が開いた状態の説明図である。
【図３】実施例１の場合の小銭入れを開こうとしている場合の使用状態図である。
【図４】実施例２の場合の小銭入れの蓋部が閉じられた状態の説明図である。
【図５】実施例２の場合の小銭入れを開こうとしている場合の使用状態図である。
【図６】実施例２の場合の指入れ部が２つの小銭入れの蓋部が閉じられた状態の説明図である。
【考案を実施するための形態】
【００１０】
片手の平で小銭入れをしっかりと所持でき、かつ手が完全に開いても落下せず、さらに所持している手で小銭を落とさないように開閉することができる、より安全性と利便性のある小銭入れを提供するという目的を、所持している手の指が届く範囲に係止部又は指掛け部などを形成することによって実現した。
【実施例１】
【００１１】
以下、図面を参照しながら、本願考案の実施の形態について説明する。
図１は、本実施例にかかる小銭入れの蓋部２が閉じられた状態の説明図である。
指入れ部１は、指を入れて小銭入れを所持するためにあり、小銭収納部３の上又は横に形成される。なお、指入れ部１の位置や大きさを調整することによって、いずれの指でも入れることが可能なように形成することができる。また、指入れ部１の数は１つに限られるものではなく複数であってもよい。さらに、１つの指入れ部１に入れる指の数は１本に限られるのでなく複数であってもよい。
蓋部２は、小銭収納部３から小銭が落下しないためにあり、小銭収納部３上部の開口部を閉鎖するようなかたちで形成される。
【００１２】
小銭収納部３は、少なくとも前面部と後面部とを有し、袋状に形成されており、小銭である硬貨を収納する。そして、小銭収納部３の後面部の開口部側から蓋部２が連設されている。
【００１３】
図２は、小銭入れの蓋部２を開けた状態の説明図である。蓋部２の内面には係止手段を構成する係止部５が、小銭収納部３の前面部の外面には係止部５と共に係止手段を構成する係止受け部６が形成されている。係止手段は、蓋部２が小銭収納部３から離れることで小銭収納部３の開口部から小銭が落下しないようにするためにあり、これにより蓋部２が小銭収納部３の開口部を閉鎖する。
つまり、係止部５に係合する係止受け部６が小銭収納部３の前面部の対応位置に設けられ、蓋部２を内側方向に折曲して、係止部５が係止受け部６に係合することにより蓋部２が小銭収納部３の開口部を閉鎖する。
この係止手段を構成する係止部５及び係止受け部６の具体例としては、スナップボタン、磁石、両面テープなどいずれであってもよい。
【００１４】
小銭受け部４は、蓋部２の内面に形成されており、小銭の出し入れをする際に、小銭が落下するのを防止するため、及び蓋部２を閉めて持ち歩いている時でも小銭受け部４が小銭が外へ飛び出すのを防ぐためにある。小銭受け部４は、蓋部２の内面に蓋部２の縁より凹んで形成されている。
【００１５】
本願考案にかかる小銭入れを使用するにあたっては、左右どちらかの手の指を指入れ部１に入れた上で小銭収納部３を手の平で握って小銭入れを所持する。
図３は、本実施例の場合の小銭入れを開こうとしている場合の使用状態図である。このように、小銭を出す場合は、親指などで係止部５を跳ね上げて蓋部２を開き、小銭収納部３の開口部を下に傾けて収納されている小銭を小銭受け部４に一旦出して、必要な小銭を取る。
このように、蓋部２の内面が小銭受け部４となっているため、小銭を取り出す際に、小銭が小銭受け部４に一旦受け止められることによって、小銭が外に滑り出して落下することを防止できる。
【００１６】
なお、係止部５を直接跳ね上げて蓋部２を開く場合だけでなく、係止部５の下部である蓋部２の下縁部分に補強板などを設けて、該補強板を跳ね上げることによって係止手段を解除して蓋部２を開いても良い。この補強板の横幅は、蓋部２の下縁部分の横幅よりも小さくしておく。補強板は、蓋部２の下縁部分に接着材によって接着しても、また、適宜蓋部２と縫着しても良い。補強板の材料は、小銭入れの材料より固いものであれば、皮革、金属などいずれであってもよい。
【００１７】
小銭入れの小銭収納部３及び蓋部２の材料は、特に限定されるものではなく動物の皮革、合成皮革、樹脂、ビーズその他、従来小銭入れの材料として使用されてきた材料を使用することができる。
【実施例２】
【００１８】
図４は、実施例２の小銭入れを示している。本実施例は、実施例１と異なり、蓋部２の外面に指掛け部７をさらに備えたことを特徴とする。それ以外の点は、実施例１と同じなので説明を省略する。
図５は、本実施例の場合の小銭入れを開こうとしている場合の使用状態図である。このように、本実施例では、実施例１のように係止部５を跳ね上げて蓋部２を開くのではなく、指掛け部７に小銭入れを所持している手の人差し指などを入れた上で、その入れた指を上げることにより係止手段を解除して蓋部２を開き、小銭収納部３に収納されている小銭を小銭収納部３の開口部を下に傾けて小銭受け部４に一旦出して、必要な小銭を取り上げる。
【００１９】
指掛け部７は、縫合又は接着などによって、蓋部２の外面に取り付けられる。なお、図４及び図５における指掛け部７は、指が蓋部２の外面と指掛け部７の間を貫通する形状のものが図示されているが、このように指が指掛け部７の下に出る場合に限られるものではない。例えば、図６のように、指掛け部７の下方部分が塞がれており、蓋部２の外面と指掛け部７の間に入った指が指掛け部７の中に止まった状態で、蓋部２を開く形状のものであってもよい。
このように指掛け部７をさらに備えたことにより、実施例１の場合は左手又は右手のいずれか一方の手だけでしか小銭入れを所持することができなかったのに対し、本実施例の場合は左手又は右手のどちらの手でも持ち替えて本願考案にかかる小銭入れを使用することができる。
【００２０】
なお、実施例１と同様に、指入れ部１の数は１つに限られるものではなく、図６に示すような２つ、又はそれ以上あってもよい。また、１つの指入れ部１に入れる指の数は１本に限られるのでなく複数であってもよい。
【符号の説明】
【００２１】
１  指入れ部
２  蓋部
３  小銭収納部
４  小銭受け部
５  係止部
６  係止受け部
７  指掛け部
【図１】
0003160690.tif 000003
【図２】
0003160690.tif 000004
【図３】
0003160690.tif 000005
【図４】
0003160690.tif 000006
【図５】
0003160690.tif 000007
【図６】
0003160690.tif 000008